(57)【要約】  空港で使用するランプサービス制御システム（１）であって、無線通信のために構成された中央制御局（２）と、各オペレータが携帯するように構成され、中央制御局（２）と無線通信するように構成された複数のモバイルデバイス（４）とを含み、各モバイルデバイス（４）は、中央制御局（２）からのランプサービス命令を無線で受信するように構成された通信ユニット（５）と、ランプサービス命令を視覚的にオペレータに出力するように構成されたスクリーン（８）と、受信したランプサービス命令に応答してオペレータからの入力を受信するように構成された入力デバイスと、を備え、通信ユニット（５）は、オペレータからの入力を示すデータを中央制御局に送信するように構成され、中央制御局が、空港内のランプサービスオペレーションを制御するために、モバイルデバイスに送信されるランプサービス命令およびランプサービス命令に応答してモバイルデバイスから送信される応答を監視できるようにする、ランプサービス制御システム。【選択図】図１
2019536672.tif 000002
【特許請求の範囲】
【請求項１】
空港で使用するランプサービス制御システムであって、
無線通信のために構成された中央制御局と、
各オペレータが携帯するように構成され、前記中央制御局と無線通信するように構成された複数のモバイルデバイスとを含み、各モバイルデバイスは、
前記中央制御局からのランプサービス命令を無線で受信するように構成された通信ユニットと、
前記ランプサービス命令を視覚的にオペレータに出力するように構成されたスクリーンと、
受信した前記ランプサービス命令に応答してオペレータからの入力を受信するように構成された入力デバイスと、を備え、前記通信ユニットは、前記オペレータからの入力を示すデータを前記中央制御局に送信するように構成され、前記中央制御局が、空港内のランプサービスオペレーションを制御するために、前記モバイルデバイスに送信されるランプサービス命令および前記ランプサービス命令に応答してモバイルデバイスから送信される応答を監視できるようにする、
ランプサービス制御システム。
【請求項２】
前記モバイルデバイスの各々は、ウェアラブルモバイルデバイスである、請求項１に記載のランプサービス制御システム。
【請求項３】
各モバイルデバイスは、スマートウォッチである、請求項１または２に記載のランプサービス制御システム。
【請求項４】
各モバイルデバイスのスクリーンは、タッチスクリーンである、請求項１〜３のいずれか一項に記載のランプサービス制御システム。
【請求項５】
前記モバイルデバイスの各々は、前記モバイルデバイスの位置を決定するように構成された衛星を使用する地上ナビゲーションシステムを備え、前記通信ユニットは、前記モバイルデバイスの決定された位置を示すデータを前記中央制御局に送信するように構成される、請求項１〜４のいずれか一項に記載のランプサービス制御システム。
【請求項６】
各モバイルデバイスは、前記モバイルデバイスの加速度または減速度を測定するように構成された加速度計を備え、前記通信ユニットは、前記モバイルデバイスの測定された加速度または減速度を示すデータを前記中央制御局に送信するように構成される、請求項１〜５のいずれか一項に記載のランプサービス制御システム。
【請求項７】
各モバイルデバイスは、前記モバイルデバイスの移動方向を測定するように構成されたデジタルコンパスを備え、前記通信ユニットは、前記モバイルデバイスの移動方向を示すデータを前記中央制御局に送信するように構成される、請求項１〜６のいずれか一項に記載のランプサービス制御システム。
【請求項８】
前記システムは、複数のオーディオ出力デバイスをさらに備え、各オーディオ出力デバイスは、オペレータが携帯するように構成され、前記ランプサービス命令に対応するオーディオ出力を前記オペレータに提供するように構成される、請求項１〜７のいずれか一項に記載のランプサービス制御システム。
【請求項９】
各オーディオ出力デバイスは、骨伝導ヘッドセットである、請求項８に記載のランプサービス制御システム。
【請求項１０】
各骨伝導ヘッドセットは、保護ヘッドギアに一体化されてオペレータが着用する、請求項９に記載のランプサービス制御システム。
【請求項１１】
前記ランプサービス命令は、オペレータに対するフライトアサインおよびオペレータに対するフライト更新のうちの少なくとも１つである、請求項１〜１０のいずれか一項に記載のランプサービス制御システム。
【請求項１２】
前記ランプサービス命令は、ランプサービスタスクを実行するためのオペレータに対する命令、別の命令または警告のうちの少なくとも１つを含む、請求項１〜１１のいずれか一項に記載のランプサービス制御システム。
【請求項１３】
前記中央制御局は、前記複数のモバイルデバイスのサブセットを選択し、ランプサービス命令を選択された前記モバイルデバイスのサブセットのみに送信するように構成される、請求項１〜１２のいずれか一項に記載のランプサービス制御システム。
【請求項１４】
前記中央制御局は、位置、可用性、特定の設備を動作させる能力または特定のランプサービスを実行する能力、特定のランプサービスを必要とする特定の航空機への近接性または空港内のモバイルデバイスを着用しているスタッフのランプサービスを実行するために必要とされる特定のランプ設備への近接性のうちの１以上に応答してモバイルデバイスのサブセットを選択するように構成される、請求項１３に記載のランプサービス制御システム。
【請求項１５】
前記中央制御局は、空港のマップと空港内のモバイルデバイスの各々の相対位置を表示するように構成された表示ユニットを含む、請求項１〜１４のいずれか一項に記載のランプサービス制御システム。
【請求項１６】
中央制御局の表示ユニットは、空港のマップ上に他のモバイルデバイスとは異なるモバイルデバイスのサブセットを表示するように構成される、請求項１４に従属する請求項１５に記載のランプサービス制御システム。
【請求項１７】
表示ユニットは、各スタッフの位置、可用性、特定の設備を動作させる能力または特定のランプサービスを実行する能力、特定のランプサービスを必要とする特定の航空機への近接性またはランプサービスを実行するために必要とされる特定のランプ設備への近接性のうちの１以上を表示するように構成される、請求項１５または１６に記載のランプサービス制御システム。
【請求項１８】
前記表示ユニットは、特定のフライトに必要とされるランプサービスおよび／またはランプサービスを実行するために必要とされる関連するランプ設備の位置、状態および詳細の表示のうちの１つ以上を表示するように構成される、請求項１５〜１７のいずれか一項に記載のランプサービス制御システム。
【請求項１９】
中央制御局からのランプサービス命令を各オペレータが携帯する少なくとも１つのモバイルデバイスに無線で送信するステップと、
前記モバイルデバイスの少なくとも１つの通信モジュールを介して前記ランプサービス命令を受信するステップと、
前記少なくとも１つのモバイルデバイス内のスクリーンを介して、前記少なくとも１つのモバイルデバイスを携帯するオペレータに前記ランプサービス命令を視覚的に出力するステップと、
受信した前記ランプサービス命令に応答して、前記少なくとも１つのモバイルデバイス内の入力デバイスを介して前記オペレータからの入力を受信するステップと、
前記オペレータからの入力を示すデータを前記中央制御局に送信するステップと、を有し、前記中央制御局が、空港内のランプサービスオペレーションを制御するために、前記モバイルデバイスに送信されるランプサービス命令および前記ランプサービス命令に応答してモバイルデバイスから送信される応答を監視できるようにする、
空港内のランプサービスを制御するための方法。
【請求項２０】
前記モバイルデバイスの各々は、ウェアラブルモバイルデバイスである、請求項１９に記載の方法。
【請求項２１】
各モバイルデバイスは、スマートウォッチである、請求項１９または２０に記載の方法。
【請求項２２】
各モバイルデバイスのスクリーンは、タッチスクリーンである、請求項１９から２１のいずれか一項に記載の方法。
【請求項２３】
前記モバイルデバイスの各々は、前記モバイルデバイスの位置を決定するように構成された衛星を使用する地上ナビゲーションシステムを備え、前記方法は、前記決定された位置を示すデータを前記中央制御局に送信することを含む、請求項１９〜２２のいずれか一項に記載の方法。
【請求項２４】
各モバイルデバイスは、前記モバイルデバイスの加速度または減速度を測定するように構成された加速度計を備え、前記方法は、前記モバイルデバイスの前記測定された加速度または減速度を示すデータを前記中央制御局に送信することを含む、請求項１９〜２３のいずれか一項に記載の方法。
【請求項２５】
各モバイルデバイスは、モバイルデバイスの移動方向を測定するように構成されたデジタルコンパスを備え、前記方法は、前記モバイルデバイスの移動方向を示すデータを前記中央制御局に送信することを含む、請求項１９〜２４のいずれか一項に記載の方法。
【請求項２６】
前記方法は、オペレータが携帯するオーディオ出力デバイスを介して、前記ランプサービス命令に対応するオーディオ出力をオペレータに提供するステップをさらに含む、請求項１９〜２５のいずれか一項に記載の方法。
【請求項２７】
前記オーディオ出力デバイスは、骨伝導ヘッドセットである、請求項２６に記載の方法。
【請求項２８】
前記骨伝導ヘッドセットは、保護ヘッドギアに一体化されてオペレータが装着する、請求項２７に記載の方法。
【請求項２９】
前記ランプサービス命令は、オペレータに対するフライトアサインおよびオペレータに対するフライト更新のうちの少なくとも１つである、請求項１９〜２８のいずれか一項に記載の方法。
【請求項３０】
前記ランプサービス命令は、ランプサービスタスクを実行するためのオペレータに対する命令、別の命令または警告のうちの少なくとも１つを含む、請求項１９〜２９のいずれか一項に記載の方法。
【請求項３１】
前記方法は、複数のモバイルデバイスのサブセットを選択し、選択された前記モバイルデバイスのサブセットのみにランプサービス命令を送信することをさらに含む、請求項１９〜３０のいずれか１項に記載の方法。
【請求項３２】
前記方法は、位置、可用性、特定の設備を動作させる能力または特定のランプサービスを実行する能力、特定のランプサービスを必要とする特定の航空機への近接性または空港内のモバイルデバイスを着用しているスタッフのランプサービスを実行するために必要とされる特定のランプ設備への近接性のうちの１以上に応答してモバイルデバイスのサブセットを選択することをさらに含む、請求項３１に記載の方法。
【請求項３３】
前記方法は、空港のマップと空港内のモバイルデバイスの各々の相対位置を前記中央制御局の表示ユニットに表示するステップをさらに含む、請求項１９〜３２のいずれか一項に記載の方法。
【請求項３４】
前記方法は、前記空港のマップ上に他のモバイルデバイスとは異なるモバイルデバイスのサブセットを表示することを含む、請求項３２に従属する請求項３３に記載の方法。
【請求項３５】
前記方法は、各スタッフの位置、可用性、特定の設備を動作させる能力または特定のランプサービスを実行する能力、特定のランプサービスを必要とする特定の航空機への近接性またはランプサービスを実行するために必要とされる特定のランプ設備への近接性のうちの１以上を表示することを含む、請求項３３または３４に記載の方法。
【請求項３６】
前記方法は、特定のフライトに必要とされるランプサービスおよび／またはランプサービスを実行するために必要とされる関連するランプ設備の位置、状態および詳細の表示のうちの１つ以上を表示することを含む、請求項３３〜３５のいずれか一項に記載の方法。
【発明の詳細な説明】
【技術分野】
【０００１】
本発明は、ランプサービス制御システム及び方法に関する。本発明は、より具体的には、空港内の地上オペレータによって提供されるランプサービスオペレーションを制御するために空港で使用するためのランプサービス制御システムおよび方法に関する。
【背景技術】
【０００２】
技術的なランプサービスは、航空機が空港でサービスを受けることを可能にする航空機のグランドハンドリングの側面である。ランプサービスには、限定するものではないが、航空機のプッシュバックと牽引、航空機の誘導（ａｉｒｃｒａｆｔ  ｍａｒｔｉａｌｉｎｇ）、地上から操縦室への通信、水とトイレのサービス、地上電力の供給、空調とエアスターターサービスの提供、乗客が航空機から搭乗、降機するためのモバイルステップ／エアブリッジサービスの提供を含む。
【０００３】
ランプサービスの大部分は、大型車両の移動と航空機の地上設備の操作を含む。
【０００４】
従来、ランプサービスオペレーションは、各地上オペレータのためのフライトアサインの紙文書を印刷する中央制御センターで動作する。地上オペレータは中央制御センターに行き、フライトアサインのプリントアウトを収集し、次に空港の正しい場所に向かい、フライトアサインを完了する必要がある。
【０００５】
各地上オペレータは、中央制御センターからの更新を受信するために無線機（ｗａｌｋｉｅ−ｔａｌｋｉｅ）を携帯する。例えば、中央制御センターは、地上オペレータによる即座の行動のために、無線による地上オペレータへのフライトアサインの変更の詳細を無線機に伝えることができる。
【０００６】
この従来の地上サービスシステムの１つの問題は、フライトアサインのプリントアウトから作業している地上オペレータが、フライトアサインの更新に間に合わないことである。オペレータは、更新されていないフライトアサインのプリントアウトから作業を続ける。これにより、地上オペレータがミスを犯してサービスの手違いやフライト遅延を引き起こす可能性がある。
【０００７】
この従来のシステムのさらなる問題は、地上オペレータは、地上サービスタスクを実行しながら、同時に無線機を介して聴取し通信することが要求されることである。これは危険である。特に、地上オペレータが大型車両を運転しているときに、地上オペレータが集中力を失い、車両をクラッシュさせるリスクがある。この危険性は、地上オペレータの命を危険にさらすだけでなく、他の地上オペレータの命や潜在的に航空機の乗客や職員の命を危険にさらすものである。
【発明の概要】
【発明が解決しようとする課題】
【０００８】
本発明は、改善されたランプサービス制御システム及び方法を提供することを目的とする。
【課題を解決するための手段】
【０００９】
本発明の一態様によれば、空港で使用するランプサービス制御システムであって、無線通信のために構成された中央制御局と、各オペレータが携帯するように構成され、中央制御局と無線通信するように構成された複数のモバイルデバイスとを含み、各モバイルデバイスは、中央制御局からのランプサービス命令を無線で受信するように構成された通信ユニットと、ランプサービス命令を視覚的にオペレータに出力するように構成されたスクリーンと、受信したランプサービス命令に応答してオペレータからの入力を受信するように構成された入力デバイスと、を備え、通信ユニットは、オペレータからの入力を示すデータを中央制御局に送信するように構成され、中央制御局が、空港内のランプサービスオペレーションを制御するために、モバイルデバイスに送信されるランプサービス命令およびランプサービス命令に応答してモバイルデバイスから送信される応答を監視できるようにする。
【００１０】
好ましくは、モバイルデバイスの各々は、ウェアラブルモバイルデバイスである。
【００１１】
好都合には、各モバイルデバイスは、スマートウォッチである。
【００１２】
有利には、各モバイルデバイスのスクリーンは、タッチスクリーンである。
【００１３】
好ましくは、モバイルデバイスの各々は、モバイルデバイスの位置を決定するように構成された衛星を使用する地上ナビゲーションシステムを備え、通信ユニットは、モバイルデバイスの決定された位置を示すデータを中央制御局に送信するように構成される。
【００１４】
好都合には、各モバイルデバイスは、モバイルデバイスの加速度または減速度を測定するように構成された加速度計を備え、通信ユニットは、モバイルデバイスの測定された加速度または減速度を示すデータを中央制御局に送信するように構成される。
【００１５】
有利には、各モバイルデバイスは、モバイルデバイスの移動方向を測定するように構成されたデジタルコンパスを備え、通信ユニットは、モバイルデバイスの移動方向を示すデータを中央制御局に送信するように構成される。
【００１６】
好ましくは、システムは、複数のオーディオ出力デバイスをさらに備え、各オーディオ出力デバイスは、オペレータが携帯するように構成され、ランプサービス命令に対応するオーディオ出力をオペレータに提供するように構成される。
【００１７】
好都合には、各オーディオ出力デバイスは、骨伝導ヘッドセットである。
【００１８】
好都合には、各骨伝導ヘッドセットは、保護ヘッドギアに一体化されてオペレータが着用する。
【００１９】
好ましくは、ランプサービス命令は、オペレータに対するフライトアサインおよびオペレータに対するフライト更新のうちの少なくとも１つである。
【００２０】
好ましくは、ランプサービス命令は、ランプサービスタスクを実行するためのオペレータに対する命令、別の命令または警告のうちの少なくとも１つを含む。
【００２１】
好都合には、中央制御局は、複数のモバイルデバイスのサブセットを選択し、ランプサービス命令を選択されたモバイルデバイスのサブセットのみに送信するように構成される。
【００２２】
有利には、中央制御局は、位置、可用性、特定の設備を動作させる能力または特定のランプサービスを実行する能力、特定のランプサービスを必要とする特定の航空機への近接性または空港内のモバイルデバイスを着用しているスタッフのランプサービスを実行するために必要とされる特定のランプ設備への近接性のうちの１以上に応答してモバイルデバイスのサブセットを選択するように構成される。
【００２３】
好ましくは、中央制御局は、空港のマップと空港内のモバイルデバイスの各々の相対位置を表示するように構成された表示ユニットを含む。
【００２４】
好都合には、中央制御局の表示ユニットは、空港のマップ上に他のモバイルデバイスとは異なるモバイルデバイスのサブセットを表示するように構成される。
【００２５】
有利には、表示ユニットは、各スタッフの位置、可用性、特定の設備を動作させる能力または特定のランプサービスを実行する能力、特定のランプサービスを必要とする特定の航空機への近接性またはランプサービスを実行するために必要とされる特定のランプ設備への近接性のうちの１以上を表示するように構成される。
【００２６】
好ましくは、表示ユニットは、特定のフライトに必要とされるランプサービスおよび／またはランプサービスを実行するために必要とされる関連するランプ設備の位置、状態および詳細の表示のうちの１つ以上を表示するように構成される。
【００２７】
本発明の別の態様によれば、空港内のランプサービスを制御するための方法が提供され、方法は、中央制御局からのランプサービス命令を各オペレータが携帯する少なくとも１つのモバイルデバイスに無線で送信するステップと、モバイルデバイスの少なくとも１つの通信モジュールを介してランプサービス命令を受信するステップと、少なくとも１つのモバイルデバイス内のスクリーンを介して、少なくとも１つのモバイルデバイスを携帯するオペレータにランプサービス命令を視覚的に出力するステップと、受信したランプサービス命令に応答して、少なくとも１つのモバイルデバイス内の入力デバイスを介してオペレータからの入力を受信するステップと、中央制御局が、空港内のランプサービスオペレーションを制御するために、モバイルデバイスに送信されるランプサービス命令およびランプサービス命令に応答してモバイルデバイスから送信される応答を監視できるように、オペレータからの入力を示すデータを中央制御局に送信するステップと、を有する。
【００２８】
好ましくは、モバイルデバイスの各々は、ウェアラブルモバイルデバイスである。
【００２９】
好都合には、各モバイルデバイスは、スマートウォッチである。
【００３０】
有利には、各モバイルデバイスのスクリーンは、タッチスクリーンである。
【００３１】
好ましくは、モバイルデバイスの各々は、モバイルデバイスの位置を決定するように構成された衛星を使用する地上ナビゲーションシステムを含み、方法は、モバイルデバイスの決定された位置を示すデータを中央制御局に送信することを含む。
【００３２】
好都合には、各モバイルデバイスは、モバイルデバイスの加速度または減速度を測定するように構成された加速度計を備え、方法は、モバイルデバイスの測定された加速度または減速度を示すデータを中央制御局に送信するステップを含む。
【００３３】
有利には、各モバイルデバイスは、モバイルデバイスの移動方向を測定するように構成されたデジタルコンパスを備え、方法は、モバイルデバイスの移動方向を示すデータを中央制御局に送信するステップを含む。
【００３４】
好ましくは、この方法は、オペレータが携帯するオーディオ出力デバイスを介して、ランプサービス命令に対応するオーディオ出力をオペレータに提供するステップをさらに含む。
【００３５】
好都合には、オーディオ出力装置は、骨伝導ヘッドセットである。
【００３６】
有利には、骨伝導ヘッドセットは、保護ヘッドギアに一体化されてオペレータが着用する。
【００３７】
好ましくは、ランプサービス命令は、オペレータに対するフライトアサインおよびオペレータに対するフライト更新のうちの少なくとも１つである。
【００３８】
好ましくは、ランプサービス命令は、ランプサービスタスクを実行するためのオペレータに対する命令、別の命令または警告のうちの少なくとも１つを含む。
【００３９】
好都合には、この方法は、複数のモバイルデバイスのサブセットを選択し、選択されたモバイルデバイスのサブセットのみにランプサービス命令を送信することをさらに含む。
【００４０】
有利には、この方法は、位置、可用性、特定の設備を動作させる能力または特定のランプサービスを実行する能力、特定のランプサービスを必要とする特定の航空機への近接性または空港内のモバイルデバイスを着用しているスタッフのランプサービスを実行するために必要とされる特定のランプ設備への近接性のうちの１以上に応答してモバイルデバイスのサブセットを選択することをさらに含む。
【００４１】
好ましくは、この方法は、空港のマップと空港内のモバイルデバイスの各々の相対位置を中央制御局の表示ユニットに表示するステップをさらに含む。
【００４２】
好都合には、この方法は、空港のマップ上に他のモバイルデバイスとは異なるモバイルデバイスのサブセットを表示することを含む。
【００４３】
有利には、この方法は、各スタッフの位置、可用性、特定の設備を動作させる能力または特定のランプサービスを実行する能力、特定のランプサービスを必要とする特定の航空機への近接性またはランプサービスを実行するために必要とされる特定のランプ設備への近接性のうちの１以上を表示することを含む。
【００４４】
好ましくは、この方法は、特定のフライトに必要とされるランプサービスおよび／またはランプサービスを実行するために必要とされる関連するランプ設備の位置、状態および詳細の表示のうちの１つ以上を表示することを含む。
【００４５】
本発明をより容易に理解することができるように、添付の図面を参照して本発明の実施形態を例として説明する。
【図面の簡単な説明】
【００４６】
【図１】本発明の実施形態を示す１つのランプサービス制御システムの概略図。
【図２】スマートウォッチの形態のモバイルデバイスの概略透視図。
【図３】第１のユーザインターフェースを示す図２のスマートウォッチの概略透視図。
【図４】第２のユーザインターフェースを示す図２のスマートウォッチの概略透視図。
【図５】第３のユーザインターフェースを示す図２のスマートウォッチの概略透視図。
【図６】骨伝導ヘッドセットの形態のオーディオ出力デバイスの概略透視図。
【図７】骨伝導ヘッドセットが一体化された保護ヘッドギアの物品の概略透視図。
【図８】本発明の一実施形態の中央制御局のスクリーンを示す概略図。
【図９】図８の中央制御局の制御スクリーンの表示出力の概略図。
【発明を実施するための形態】
【００４７】
最初に添付図面の図１を参照すると、本発明の実施形態のランプサービス制御システム１は、中央制御局２を含む。中央制御局２は、この実施形態では、表示スクリーンまたは表示ユニット（図示せず）を備えたコンピュータ端末またはサーバである。中央制御局２は、信号を無線で送受信するように構成された通信ユニット３を備える。本発明の実施形態では、無線通信は、無線ローカルエリアネットワーク（無線ＬＡＮ）、ＷｉＦｉ（登録商標）またはセルラー通信ネットワークのうちの少なくとも１つ以上を使用して実行される。
【００４８】
ランプサービス制御システム１は、複数のモバイルデバイス４をさらに備える。この実施形態では、モバイルデバイス４はそれぞれ互いに同一である。各モバイルデバイス４は、空港内の地上で作業する各オペレータが携帯するように構成される。各モバイルデバイス４は、中央制御局２からランプサービス命令および他の命令またはメッセージを無線で受信するように構成された通信ユニット５を備える。本発明の実施形態では、ランプサービス命令は、ランプサービスタスクを実行するためのオペレータに対する命令、別の命令または警告のうちの少なくとも１つを含む。ランプサービス命令は、オペレータによる確認応答を必要とすることもあれば、必要としないこともある。
【００４９】
各モバイルデバイス４は、ランプサービス命令または他の受信メッセージをオペレータに視覚的に出力または表示するように構成されたスクリーン（図１には図示せず）を備える。
【００５０】
各モバイルデバイス４は、受信したメッセージまたはランプサービス命令に応答してオペレータからの入力を受信するように構成された入力デバイス（図１には図示せず）をさらに備える。各モバイルデバイスの通信ユニット５は、オペレータからの入力を示すデータを中央制御局２に送信するように構成される。したがって、中央制御局２は、モバイルデバイス４に送信されるランプサービス命令およびランプサービス命令に応答してモバイルデバイス４から送信された応答を監視して、空港内のランプサービスオペレーションを制御することができる。
【００５１】
ここで添付図面の図２を参照すると、好ましい実施形態では、各モバイルデバイス４は、好ましくは、オペレータの手首７に装着されるように構成されたスマートウォッチ６である。スマートウォッチ６は、この実施形態では、タッチ入力をオペレータから受信するように構成されたタッチスクリーンであるスクリーン８を含む。他の実施形態では、スマートウォッチ６はタッチスクリーンを備えておらず、これらの実施形態では、入力デバイスは、スマートウォッチ６の本体に設けられたボタン９の形態である。さらなる実施形態では、スマートウォッチ６は、タッチスクリーン８および／またはボタン９を介して入力を受け取るように構成される。
【００５２】
この実施形態では、スマートウォッチ６の形態のモバイルデバイス４は、好ましくは、衛星（図示せず）を使用する地上ナビゲーションシステムを備える。衛星を使用する地上ナビゲーションシステムは、好ましくはＧＰＳ受信機であるが、他の実施形態では、ＧＬＯＮＡＳＳなどの衛星を使用する異なる地上ナビゲーションシステムであってもよい。
【００５３】
衛星を使用する地上ナビゲーションシステムは、スマートウォッチ６のグローバル位置を検出し、その位置を通信ユニット５を介して中央制御局２に送信するように構成される。この実施により、中央制御局２は、スマートウォッチ６のそれぞれの位置、したがってスマートウォッチ６を装着しているオペレータの位置を監視することができる。
【００５４】
スマートウォッチ６は、好ましくは、スマートウォッチ６の加速度または減速度を測定するように構成された加速度計（図示せず）をさらに備える。例えば、加速度計は、車両を運転するオペレータがスマートウォッチ６を携帯するので、スマートウォッチ６の加速度または減速度を測定するように構成される。したがって、加速度計は、オペレータの制御において車両の加速度または減速度を測定することができる。スマートウォッチ６は、通信ユニット５を介して加減速データを中央制御局２に送信するように構成される。このデータは、中央制御局２によって使用され、危険な車両動作および／または衝突状況を示す可能性がある異常な加速度または減速度を検出する。
【００５５】
スマートウォッチ６は、好ましくは、スマートウォッチ６の移動方向を測定し、通信ユニット５を介して中央制御局２に方向データを送信するように構成されたデジタルコンパス（図示せず）をさらに備える。中央制御局２は、方向データを使用して、例えば航空機がオペレータによって動かされるときの航空機のプッシュバックまたは牽引の方向を監視するために、スマートウォッチ６およびそのそれぞれのオペレータの指向的な動きを監視する。
【００５６】
使用中、中央制御局２は、フライトアサインをモバイルデバイス４に無線で送信する。モバイルデバイス４は、本発明のこの実施形態では以下スマートウォッチ６という。
【００５７】
ここで添付図面の図３を参照すると、フライトアサイン１０の形態のランプサービス命令がスマートウォッチ６のスクリーン８に表示される。フライトアサイン１０は、オペレータがフライトアサインの詳細を見ることができるように、スクリーン８上に詳細に表示される。確認アイコン１１ａもまたスクリーン８上に表示され、オペレータが確認アイコン１１ａにタッチ入力を与えて、オペレータがフライトアサインを完了することを確認することができる。この確認入力は、スマートウォッチ６によって中央制御局２に送信される。
【００５８】
スマートウォッチ６はまた、好ましくは、スクリーン８上に拒否アイコン１１ｂを表示する。オペレータがフライトアサインを完了できない、または完了しない場合、オペレータは、拒否アイコン１１ｂに触れることによって、即時拒否応答を提供することができる。スマートウォッチ６は、拒否応答を中央制御局２に送信し、中央制御局２が別のオペレータにフライトアサインを再割り当てできるようにする。
【００５９】
ここで添付図面の図４を参照すると、スマートウォッチ６は、好ましくは、複数のフライトアサインを示す詳細なフライトアサインスケジュール１２をスクリーン８に表示するようにさらに構成される。
【００６０】
スマートウォッチ６へのフライトアサインの提供は、オペレータに即時通知を提供し、これにより、フライトアサインの紙文書の必要性が回避される。オペレータは空港内の任意の場所でスマートウォッチ６を介してフライトアサインを受信することができ、オペレータが中央制御局に移動する必要性を取り除く。これは、オペレータが中央制御局に移動することによって浪費される時間を回避する。
【００６１】
スマートウォッチ６に直接配信されるフライトアサインは、オペレータにリアルタイムで配信される最新のフライトアサインである。このリアルタイム配信は、システムの効率を最大化し、サービス処理エラーを最小限に抑える。
【００６２】
システム１はまた、フライトアサインに関する上記のような方法でフライトアサインへの更新をスマートウォッチ６に送信するように構成される。フライト更新では、オペレータが直ちに行うことができるフライトアサインへのリアルタイム修正または変更が提供される。これらのリアルタイム更新は、オペレータが時代遅れの紙のフライトアサインから作業しているときに起こり得るランプ処理エラーの可能性を最小限にする。
【００６３】
ここで添付図面の図５を参照すると、スマートウォッチ６は、好ましくは、追加の制御アイコン１３〜１５をスクリーン８上に表示できるように構成される。オペレータは、中央制御局２に送信されるスマートウォッチ６に追加のフィードバックを提供するために、これらのさらなる制御アイコン１３〜１５を介してスマートウォッチ６にさらなる制御入力を提供することができる。このさらなるフィードバックは、オペレータと中央制御局２との間の通信を容易にするためのシステムに追加の柔軟性を提供する。
【００６４】
ここで添付図面の図６を参照すると、本発明の好ましい実施形態では、システムは、各オペレータが携帯する複数のオーディオ出力デバイスのそれぞれを備える。この実施形態では、各オーディオ出力装置は、図６に示す骨伝導ヘッドセット１６のような骨伝導ヘッドセットである。
【００６５】
骨伝導ヘッドセット１６は、オペレータの頭の一部の周りにフィットするバンド１７を含む。骨伝導変換器１８、１９は、オペレータの頭の両側に位置し、オペレータの頭蓋骨を介して伝達される振動を介してオペレータに音声を伝達するように構成される。骨伝導ヘッドセット１６は、オペレータの外耳道を覆うことなく、または閉じることはなく、オペレータが周辺環境の音を聞くことを妨げない。したがって、骨伝導ヘッドセット１６は、大きなノイズから保護するために耳栓またはマフラーを装着しているオペレータに音声を伝達するために使用することができる。
【００６６】
骨伝導ヘッドセット１６は、従来のイヤホンの代わりに使用して、従来のイヤホンが環境音を遮断するという問題を克服することもできる。骨伝導ヘッドセット１６は、接近する車両のような危険な状況に対してオペレータへの警告を妨げるかもしれない従来のイヤホンよりも安全に使用することができる。
【００６７】
骨伝導ヘッドセット１６は、好ましくは、ランプサービス命令がスマートウォッチ６から骨伝導ヘッドセット１６に通信できるように、スマートウォッチ６と無線通信するように構成される。骨伝導ヘッドセット１６は、オペレータがスマートウォッチ６のスクリーン８を見る必要なく、ランプサービス命令をオーディオ形式でオペレータに送る。他の実施形態では、骨伝導ヘッドセット１６は、中央制御局２と直接通信する無線トランシーバに接続され、骨伝導ヘッドセット１６が中央制御局２から無線を介してランプサービス命令を直接受信することができる。
【００６８】
ここで添付図面の図７を参照すると、さらなる実施形態では、骨伝導ヘッドセット２０は、バンプキャップ２１のような保護ヘッドギアの物品に組み込まれる。保護ヘッドギアを装着しているオペレータは、例えば航空機の翼の下で作業するときに、保護ヘッドギアを依然として着用しながら、骨伝導ヘッドセット２０の向上した安全性の側面から利益を享受できる。
【００６９】
本発明の実施形態の骨伝導ヘッドセットは、オペレータが中央制御局２からハンズフリー音声命令を受信することを可能にする。これにより、特にオペレータが車両を運転しているときに、いずれも事故に至るかもしれない、オペレータが無線を耳に掛けたり、ボタンを押したりする必要がなくなる。
【００７０】
この実施形態では骨伝導ヘッドセット１６の形態であるオーディオデバイスは、好ましくは、マイクロフォンをさらに備える。マイクロフォンは、オペレータと中央制御局２との間、および他のモバイルデバイスとの双方向通信を可能にする。
【００７１】
ここで添付図面の図８を参照すると、中央制御局２は、ランプ操作を監督している中央管理者２３に情報を表示するための表示ユニット２２を含む。
【００７２】
表示ユニット２２は、空港のマップ２４を他の情報と共に表示するように構成された大型表示ユニットであることが好ましい。
【００７３】
ここで添付図面の図９を参照すると、表示ユニット２２は、好ましくは、空港の異なるエリアを示すために異なる色または斜線のセクションを有するマップ２４を表示する。中央制御局２は、中央管理者２３が各モバイルデバイス４、したがって各オペレータの現在位置を見ることができるように、マップ２４上の空港周辺の各モバイルデバイス４の位置をプロットするように構成される。
【００７４】
中央管理者２３は、入ってくる航空機に近接しているオペレータのように、特定のランプサービスオペレーションを処理するために、どのオペレータが適切な場所にいるのかを容易に識別することができる。次に、中央管理者２３は、図１に点線で示すように、モバイルデバイス４のサブセット２５を識別することができる。中央制御局２は、ランプサービス命令をモバイルデバイスのサブセット２５のみに送信することを選択することができる。これにより、必要なランプサービスタスクを実行するために正しい場所にいないオペレータにランプサービス命令を不必要に送信することによって、システム内の帯域幅が使用されることを避ける。
【００７５】
いくつかの実施形態では、中央制御局２は、位置、可用性、特定の設備を動作させる能力または特定のランプサービスを実行する能力、特定のランプサービスを必要とする特定の航空機への近接性または空港内のモバイルデバイスを着用しているスタッフのランプサービスを実行するために必要とされる特定のランプ設備への近接性のうちの１以上に応答してモバイルデバイスのサブセットを選択するように構成される。
【００７６】
本発明の実施形態では、中央制御局２は、中央管理者２３が、必要なランプサービスを実行するために、スタッフを選択して設備および／またはフライトに合わせることができるように、表示ユニット２２に追加情報を表示するように構成される。追加情報は、各スタッフの可用性、特定の設備を動作させる能力または特定のランプサービスを実行する能力、ランプサービスを必要とする特定の航空機への近接性またはランプサービスを実行するために必要とされる特定のランプ設備への近接性のうちの１以上を含むのが好ましい。
【００７７】
表示ユニット２２を介して出力される追加情報は、特定のフライトに必要とされるランプサービスおよび／またはランプサービスを実行するために必要とされる関連するランプ設備の位置、状態、および／または詳細の表示のうちの１つ以上を含むことが好ましい。
【００７８】
本明細書および特許請求の範囲で使用される場合、用語「含む／備える」および「含んでいる／備えている」およびそれらの変形は、指定された特徴、ステップまたは整数を含み、それらを含むことを意味する。これらの用語は、他の特徴、ステップまたはコンパウンドの存在を排除するために解釈されるべきではない。
【００７９】
開示された機能を実行するための手段または開示された結果を達成するための方法またはプロセスに関して、特定の形態で表現された上記の説明、以下の特許請求の範囲、または添付の図面に開示される特徴は、必要に応じて、別々に、またはそのような特徴の任意の組み合わせにおいて、本発明をその多様な形態で実現するために利用される。
【図１】
2019536672.tif 000003
【図２】
2019536672.tif 000004
【図３】
2019536672.tif 000005
【図４】
2019536672.tif 000006
【図５】
2019536672.tif 000007
【図６】
2019536672.tif 000008
【図７】
2019536672.tif 000009
【図８】
2019536672.tif 000010
【図９】
2019536672.tif 000011
【国際調査報告】
2019536672.tif 000012
2019536672.tif 000013